(57)【特許請求の範囲】
【請求項１】
構造物を構成する各構成要素に対して入力された肉厚値の初期値に基づいて前記構造物の全体に対する実剛性値を演算し、演算実剛性値を前記構造物の全体に対する要求剛性値に近づけるべく、前記各構成要素の肉厚値の最適値を感度解析結果に基づいて最適化演算して求める最適化演算手段を有し、求めた結果を表示手段に表示する構造最適化結果表示装置における構造最適化結果表示方法であって、
前記肉厚値の最適値に対応して各構成要素に対する規格肉厚値を選択手段が選択し、
前記肉厚値の初期値と前記最適化演算手段による最適化演算により求めた前記肉厚値の最適値との差の値、および前記肉厚値の最適値と前記選択手段によって選択された規格肉厚値との差の値を差演算手段が前記構成要素毎に求め、
前記差演算手段によって求めた前記差の値を前記構成要素毎に表示制御手段が一覧表示させることを特徴とする構造最適化結果表示方法。
【請求項２】
構造物を構成する各構成要素に対して入力された肉厚値の初期値に基づいて前記構造物の全体に対する実剛性値を演算し、演算実剛性値を前記構造物の全体に対する要求剛性値に近づけるべく、前記各構成要素の肉厚値の最適値を感度解析結果に基づいて求める最適化演算手段を有し、求めた結果を表示手段に表示する構造最適化結果表示装置であって、
前記肉厚値の最適値に対応して前記構成要素に対する規格肉厚値を選択する選択手段と、
前記肉厚値の初期値と前記最適化演算手段による最適化演算により求めた前記肉厚値の最適値との差の値、および前記肉厚値の最適値と前記選択手段によって選択された前記規格肉厚値との差の値を前記構成要素毎に求める差演算手段と、
前記差演算手段によって求めた前記差の値を前記構成要素毎に一覧表示させる表示制御手段と、
を備えたことを特徴とする構造最適化結果表示装置。
【発明の詳細な説明】
【０００１】
【発明の属する技術分野】
本発明は、複数の構成要素からなる構造物に対して感度解析により構造最適化したときの結果を表示する構造最適化結果表示方法および装置に関する。
【０００２】
【従来の技術】
従来の構造最適化解析装置として、例えば特公平７−１０９３８３号公報に開示されたものが知られている。これは、感度解析結果に基づいて目的にあった条件を演算し、規格データベースに基づいて前記演算結果に近い条件を選択し、この選択結果に基づいて構造解析を行い、この解析結果に基づいて目的に近いものを最適条件とするものである。
【０００３】
上記の方法に基づいて、構造物の全体に対して剛性バランスを最適化した際に、理想的な要求仕様の剛性バランスを実現するために得られた各構成要素の肉厚値の最適値は、実際の材料の規格肉厚値とは異なっていることが多い。このため、各構成要素の肉厚値の最適値を最も近い規格肉厚値に変更して構造物の全体に対する剛性バランスを演算し直す必要がある。
【０００４】
【発明が解決しようとする課題】
しかし、構造物を構成する各構成要素について最初に与えた肉厚値の初期値と、構造物を構成する各構成要素についての肉厚値の最適値と、該最適値の肉厚値に近い規格肉厚値とは全く同一となることはない。それにもかかわらず、従来の方法によるときは、構造物のどの部分において初期値の肉厚値と、最適値の肉厚値と、規格肉厚値との間にどれぐらいの偏差が生じたかを把握することはできないという問題点があった。
【０００５】
本発明は上記の問題点に鑑みなされたもので、構造物のどの部分において、初期値として与えた肉厚値と、求めた最適値の肉厚値と、規格肉厚値との間に偏差が生じているかが容易にわかるように表示する構造最適化結果表示方法および装置を提供することを目的とする。
【０００６】
【課題を解決するための手段】
本発明の構造最適化結果表示方法は、構造物を構成する各構成要素に対して入力された肉厚値の初期値に基づいて前記構造物の全体に対する実剛性値を演算し、演算実剛性値を前記構造物の全体に対する要求剛性値に近づけるべく、前記各構成要素の肉厚値の最適値を感度解析結果に基づいて最適化演算して求める最適化演算手段を有し、求めた結果を表示手段に表示する構造最適化結果表示装置における構造最適化結果表示方法であって、前記肉厚値の最適値に対応して各構成要素に対する規格肉厚値を選択手段が選択し、前記肉厚値の初期値と前記最適化演算手段による最適化演算により求めた前記肉厚値の最適値との差の値、および前記肉厚値の最適値と前記選択手段によって選択された規格肉厚値との差の値を差演算手段が前記構成要素毎に求め、前記差演算手段によって求めた前記差の値を前記構成要素毎に表示制御手段が一覧表示させることを特徴とする。
また、本発明の構造最適化結果表示装置は、構造物を構成する各構成要素に対して入力された肉厚値の初期値に基づいて前記構造物の全体に対する実剛性値を演算し、演算実剛性値を前記構造物の全体に対する要求剛性値に近づけるべく、前記各構成要素の肉厚値の最適値を感度解析結果に基づいて求める最適化演算手段を有し、求めた結果を表示手段に表示する構造最適化結果表示装置であって、前記肉厚値の最適値に対応して前記構成要素に対する規格肉厚値を選択する選択手段と、前記肉厚値の初期値と前記最適化演算手段による最適化演算により求めた前記肉厚値の最適値との差の値、および前記肉厚値の最適値と前記選択手段によって選択された前記規格肉厚値との差の値を前記構成要素毎に求める差演算手段と、前記差演算手段によって求めた前記差の値を前記構成要素毎に一覧表示させる表示制御手段と、を備えたことを特徴とする。
【０００７】
本発明の構造最適化結果表示方法および装置によれば、肉厚値の初期値と肉厚値の最適値との差の値が構成要素毎に求められて、求められた差の値が前記構成要素毎に一覧表示させられるために、該差が構造物を構成するどの構成要素にどの程度生ずるかを容易に判断することができる。
【０００８】
この結果、肉厚値の初期値と最適値との差が比較的少ないときに構造物を構成する構成要素の肉厚値の変化で対処することが可能か、また、肉厚値の初期値に対して変更箇所が多い場合や、肉厚値の初期値と最適値との差が比較的大きい場合には、構造物の構造の見直しや、補強部材の追加が必要かなどの検討を速やかに開始することができる。
【００１０】
また、本発明によれば、肉厚値の前記最適値と前記規格肉厚値との差の値が構成要素毎に求められて、該求められた差の値が構成要素毎に一覧表示させられるために、肉厚値の最適値によるときと規格肉厚値によるときとの差が構造物を構成するどの構成要素にどの程度生ずるかを容易に判断することができる。
【００１１】
さらに、本発明によれば、所望の剛性バランスを実現する各構成要素の最適化された肉厚値に対して、各構成要素を実際に製作する場合には材料の規格肉厚値に置き換える場合があり、ここで、最適化された最適値と規格肉厚値との間に差が生じ、結果的に構造物の剛性バランスに変化を生じさせることになる。この剛性バランスの変化が一覧表示によって構造物の構成要素中のどの箇所に、どれほどの量だけ生じているのかが容易にわかる。
【００１２】
【発明の実施の形態】
以下、本発明にかかる構造最適化結果表示方法および装置を実施の形態によって説明する。
【００１３】
図１は、本発明の実施の一形態にかかる構造最適化結果表示方法が適用される構造最適化結果表示装置の構成を示すブロック図である。
【００１４】
図１に示した構造最適化結果表示装置１０を図４（ｂ）に示した自動二輪車のフレームボデイ４０に適応した場合を例に説明する。
【００１５】
ここでフレームボデイは構造物であり、まず、フレームボデイについて説明する。図４（ｂ）に示すように自動二輪車のフレームボデイ４０はヘッドパイプ４５を含むメインフレーム４１とサブフレーム４２とを一体化して構造物とし、該構造物は単純な構造部材に分解され、分解された構造部材を構成要素としている。逆に言えば構成要素を一体に結合して構造物が構成される。
【００１６】
メインフレーム４１は分解していけば、ヘッドパイプ４５、その他の複数の構造部材４６ａ、４６ｂ、４７ａ、４７ｂ、４８、４９ａ、４９ｂ、５０、５１、５２、…、から構成され、さらに、サブフレーム４２も分解していけば、複数の構造部材５５ａ、５５ｂ、５６、５７、５８ａ、５８ｂ、５９ａ、５９ｂ、…、から構成されている。
【００１７】
ここで、例えば、メインフレーム４１を構成する構造部材４６ａ、４６ｂは断面五角柱からなり、補強のために補強板が内部に設けられ、補強板を含めて箱状に形成されていて、後記の感度解析および構成要素解析において、補強板を挟む一方側の五角柱を構成する板材、補強板も独立した構成要素とされ、補強板を挟む他方側も同様に独立した構成要素とされる。他の構成要素の場合も同様であり、このために、構造部材において上記以外にも図示されていない構成要素が存在し、図４（ａ）において各構成要素番号ＰＮｏ．で示してある。
【００１８】
また、構成要素の厚さは、板材のときには板厚であり、パイプのときには肉厚であるが、板厚も板材の肉厚である意味において、本明細書では共に肉厚とも記す。
【００１９】
図４（ｂ）において参照番号６１はヘッドパイプ軸線、参照符号６１ａは前輪のアクスル位置を示し、参照番号６２は、リアフォーク、後輪を懸架するピボットの位置を示している。
【００２０】
図１に戻って構造最適化結果表示装置１０は、入力部１と、コンピュータからなる演算制御部２と、規格肉厚データベース３と、表示装置４と、作業領域を含む図示しないテンポラリメモリおよびＲＯＭとを備えている。
【００２１】
入力部１は、初期条件指示部１ａと出力形態指示部１ｂとを備えている。
【００２２】
初期条件指示部１ａでは、構造物の３次元形状データ、各構成要素番号、解析の対象とする構成要素か否か、各構成要素の肉厚値の初期値、各構成要素の肉厚値の制限値としての最小値および最大値、各構造物の材料名が、構成要素毎に指示され、かつ構造物に対する要求剛性値が指示される。
【００２３】
出力形態指示部１ｂでは、肉厚値一覧表示、剛性値一覧表示、３次元形状表示と肉厚値一覧表示との対応表示（単に、対応表示とも記す）が指示される。
【００２４】
演算制御部２は、初期条件指示部１ａにて指示された初期入力データに基づいて、有限要素法を用いて感度解析を行う感度解析部２ａと、各構成要素に対して入力された初期入力データに基づき構造物の実剛性値を求め、該実剛性値を構造物に対する目標剛性値に近づけるべく感度解析部２ａにおける感度解析結果に基づいて各構成要素の肉厚値の最適値を演算し該最適値を構成要素に対応してテンポラリメモリに格納させる最適肉厚値演算部２ｂと、規格肉厚データベース３の規格肉厚値を参照して、最適肉厚値演算部２ｂで求めた肉厚値の最適値に最も近い規格肉厚値を各構成要素毎に選択してテンポラリメモリに格納させる規格肉厚値選択部２ｃと、肉厚値の初期値に代わって各構成要素について肉厚値の演算された最適値および規格肉厚値選択部２ｃにて選択された規格肉厚値をそれぞれ用いて有限要素法で構造物に対する剛性値を構造解析によって求めてテンポラリメモリに格納させる構造解析部２ｄと、出力形態指示部１ｂにおいて指示された出力形態に基づく表示のための演算および演算結果を表示装置４に表示させるための表示制御を行う出力演算表示制御部２ｅとを備えている。
【００２５】
したがって、構造解析部２ｄでは各構成要素について肉厚値の演算された最適値によるときの構造物に対する剛性値と選択された規格肉厚値によるときの構造物に対する剛性値とが得られ、テンポラリメモリに格納させる。
【００２６】
出力演算表示制御部２ｅは、出力形態指示部１ｂにおいて指示された出力形態が肉厚値一覧表示指示のときには、構成要素毎に肉厚値の初期値と肉厚値の最適値との差および肉厚値の最適値と規格肉厚値との差を演算し、各構成要素番号ＰＮｏ．、解析の対象とする構成要素か否か、肉厚値の制限値としての最小値（ＭＩＮ）、構成要素毎の肉厚値の初期値、肉厚値の制限値としての最大値（ＭＡＸ）、肉厚値の最適値（ＯＰＴ−Ｔ）、肉厚値の初期値と肉厚値の最適値との差（ＤＩＦ−Ｔ）、規格肉厚値（ＳＴＤ−Ｔ）、肉厚値の最適値と規格肉厚値との差（ＳＤＩＦ−Ｔ）、構成要素毎の材料名の表示を表示装置４にさせる表示制御を行う。
【００２７】
ここで、肉厚最適値（ＯＰＴ−Ｔ）の値と実際の材料の規格値との差が所定範囲内にない場合は、規格肉厚値（ＳＴＤ−Ｔ）の値に肉厚最適値（ＯＰＴ−Ｔ）をそのまま用いるものとしてもよい。図４（ａ）は、ＰＮｏ．２１０２〜２１０５においてこの場合を例示している。これは、例えば材料の規格が仮に１．０ｍｍ、１．５ｍｍ、２．０ｍｍの３種類であり、最適値が１．２ｍｍと算出されたような場合は、規格肉厚値（ＳＴＤ−Ｔ）を１．０ｍｍとするのが合理的であるが、最適値が０．２ｍｍと算出されたような場合や、最適値が９．０ｍｍと算出されたような場合は、材料の規格値と最適値との差が過大であるため、構成要素の肉厚を変更するよりも構造の変更をしたほうがよいことが明らかであるうえに、部分的に不適正な規格肉厚値（ＳＴＤ−Ｔ）となったことが全体の剛性計算値に大きく影響してしまうことを防ぐためである。
【００２８】
また、出力演算表示制御部２ｅは、出力形態指示部１ｂにおいて指示された出力形態が剛性値一覧表示指示のときには、構造物に対する、横剛性値、ねじり剛性値、ピボット６２あるいはヘッドパイプ中心６３の位置を基準とするねじり中心位置、アクスル横変位および重量をそれぞれ肉厚値の初期値、肉厚値の最適値、規格肉厚値によるときについて演算し、さらに、肉厚値の初期値によるときの剛性値と要求剛性値との差、肉厚値の最適値によるときの剛性値と要求剛性値との差、規格肉厚値によるときの剛性値と要求剛性値との差、肉厚値の最適値によるときの剛性値と規格肉厚値によるときの剛性値との差、肉厚値の初期値によるときの剛性値と肉厚値の最適値によるときの剛性値との差および肉厚値の初期値によるときの剛性値と規格肉厚値によるときの剛性値との差が演算されて、要求剛性値と共に、表示装置４上に一覧表示させるための表示制御を行う。
【００２９】
また、出力演算表示制御部２ｅは、出力形態指示部１ｂにおいて指示された出力形態が３次元形状表示と肉厚値一覧表示との対応表示指示のときには、肉厚値一覧表示を表示装置４の一方側（上方側）に、構造物の３次元形状表示を表示装置４の他方側（下方側）に表示させ、３次元形状表示上において指示された位置の構成要素に対応する肉厚値一覧表示中における各構成要素番号ＰＮｏ．の行、または肉厚値一覧表示中において指示された行位置上の構成要素に対応する３次元表示上における構成要素の位置を表示装置４上において指示させるための表示制御を行う。
【００３０】
上記のように構成された構造最適化結果表示装置１０によるときの作用について図２および図３のフローチャートに基づいて説明する。
【００３１】
構造最適化結果表示装置１０の作用を開始させると、初期条件指示部１ａによって指示された、構造物の３次元形状データ、各構成要素番号ＰＮｏ．、解析の対象とする構成要素か否か、各構成要素の肉厚値の初期値、各構成要素の肉厚値の最小値および最大値、各構造物の材料名が、構成要素毎に指示され、かつ構造物に対する要求剛性値が読み込まれる（ステップＳ１）。ここで、初期値データは予め定めたフレームボデイ４０に対する値が入力されるため、これらの値によるときの剛性値は構造物であるフレームボデイ４０の場合における要求剛性値に近い値であると想定される。
【００３２】
ステップＳ１に続いて、入力された初期値データに基づき感度解析部２ａによって有限要素法を用いた感度解析が行われ（ステップＳ２）、感度解析結果に基づいて目的にあった条件の組み合わせから、構造物の実剛性値が求められ、該実剛性値を構造物に対する要求剛性値に近づけるべく、各構成要素の肉厚を設計変数とし、さらに重畳最小を目的関数として、最適肉厚値演算部２ｂによって各構成要素の肉厚値の最適値が演算される（ステップＳ３）。
【００３３】
ステップＳ３において求められた肉厚値の最適値は演算に基づいて得た肉厚値の最適値であり、求めた最適値の肉厚値を有する部材が必ず入手できるわけでもなく、規格肉厚データベース３の記憶内容である材料に対する規格肉厚値が参照されて、肉厚値の最適値に最も近い規格肉厚値が規格肉厚値選択部２ｃによって構成要素毎に選択される（ステップＳ４）。
【００３４】
この場合に、ビルディングの鉄骨構造の場合などでは肉厚値の最適値に最も近くかつ肉厚値の最適値よりも厚い肉厚値のものを規格肉厚値とすれば安全サイドであって問題がないが、自動二輪車の場合では、フレームボデイ４０全体の剛性値が大きすぎても、小さすぎても不都合であって、前輪と後輪とにどれくらいの入力が存在したときにフレームボデイ４０がどの程度しなればよいのか、また、加速入力や、減速入力があったときにフレームボデイ４０はどちら側に粘ればよいのかなど、自動二輪車の直進走行中の操縦性のみならずカーブを曲がるときの操縦性も良好である必要上から、肉厚値の最適値に最も近い規格肉厚値を選択するのである。
【００３５】
ステップＳ４に続いて、各構成要素について演算された肉厚値の最適値に基づいて構造解析部２ｄにより構造解析が有限要素法によって行われて、肉厚値の最適値によるときの構造物に対する剛性値が求められ、選択された規格肉厚値に基づいて構造解析部２ｄにより構造解析が各構成要素について有限要素法によって行われて、規格肉厚値によるときの構造物に対する剛性値が求められる（ステップＳ５）。
【００３６】
ステップＳ５に続いて、出力形態指示部１ｂによって入力された出力形態が読み込まれて、出力形態が判別される（ステップＳ６）。
【００３７】
ステップＳ６において出力形態が肉厚値一覧表示であると判別されたときは、構成要素毎に、肉厚値の初期値と肉厚値の最適値との差および肉厚値の最適値と規格肉厚値との差が演算され、構成要素毎に構成要素番号ＰＮｏ．、解析の対象とする構成要素か否か、最小値、肉厚値の初期値、最大値、肉厚値の最適値、肉厚値の初期値と肉厚値の最適値との差、規格肉厚値、肉厚値の最適値と規格肉厚値との差、各構成要素の材料名の表示が出力演算表示制御部２ｅの制御の下に表示装置４に表示される（ステップＳ７）。この場合の表示例は図４（ａ）に示す如くであり、スクロールすることにより他の構成要素番号のものについても画面上に表示される。
【００３８】
図４（ａ）において、ＯＰＴは解析の対象とする構成要素か否かの表示であって、ＹＥＳは対象とする構成要素の場合を示し、ＮＯは対象としない構成要素の場合を示し、ＭＩＮ、ＭＡＸは肉厚値の制限値としての最小値、最大値を示し、ＯＰＴ−Ｔは肉厚値の最適値を示し、ＤＩＦ−Ｔは肉厚値の初期値と肉厚値の最適値との差を示し、ＳＴＤ−Ｔは規格肉厚値を示し、ＳＤＩＦ−Ｔは肉厚値の最適値と規格肉厚値との差を示している。
【００３９】
このように肉厚値の一覧表示がなされ、この肉厚値の一覧表示から肉厚値の初期値と肉厚値の最適値との差の値が構成要素毎に求められて、求められた差の値が構成要素毎に一覧表示させられるために、該差が構造物を構成するどの各構成要素にどの程度生ずるかを容易に判断することができる。
【００４０】
この結果、肉厚値の初期値と最適値との差が比較的少ないときに構造物を構成する構成要素の肉厚値の変化で対処することが可能か、また、肉厚値の初期値に対して変更箇所が多い場合や、肉厚値の初期値と最適値との差が比較的大きい場合には、構造全体の見直しや、補強部材の追加が必要であるかなどの検討を速やかに開始することができる。
【００４１】
また、肉厚値の最適値と規格肉厚値との差の値が構成要素毎に求められて、求められた差の値が各構成要素毎に一覧表示させられるために、規格肉厚値によるときの差が構造物を構成するどの各構成要素にどの程度生ずるかを容易に判断することができる。
【００４２】
また、所望の剛性バランスを実現する各構成要素の最適化された肉厚値に対して、各構成要素を実際に製作する場合には材料の規格肉厚値に置き換える場合があり、ここで、最適化された最適値と規格肉厚値との間に差が生じ、結果的に構造物の剛性バランスに変化を生じさせることになる。これにより、それぞれの差が構造物のどの構成要素に、どれほどの量だけ生じているのかが容易にわかることになる。
【００４３】
ステップＳ６において出力形態が剛性値一覧表示と判別されたときは、構造物に対する、横剛性値、ねじり剛性値、ヘッドパイプ中心６３の位置を基準とするねじり中心位置、アクスル横変位および重量をそれぞれ肉厚値の初期値、肉厚値の最適値、規格肉厚値によるときについて演算し、さらに、肉厚値の初期値によるときの剛性値と要求剛性値との差、肉厚値の最適値によるときの剛性値と要求剛性値との差、規格肉厚値によるときの剛性値と要求剛性値との差、肉厚値の最適値によるときの剛性値と規格肉厚値によるときの剛性値との差、肉厚値の初期値によるときの剛性値と肉厚値の最適値によるときの剛性値との差および肉厚値の初期値によるときの剛性値と規格肉厚値によるときの剛性値との差が演算されて（ステップＳ８）、演算結果が要求剛性値と共に、出力演算表示制御部２ｅの制御の下に表示装置４上に横剛性値、ねじり剛性値、ねじり中心位置、アクスル横変位、重量が一覧表示される（ステップＳ９）。この場合の表示例の一部は図５に示す如くである。
【００４４】
したがって、肉厚値の初期値によるときの剛性値と各構成要素の肉厚値の最適値によるときの構造物に対する剛性値とが対比して一覧表示されるため、この一覧表示から肉厚値を最適値にしたときに各剛性値がどの程度影響を受けたかが容易にわかる。
【００４５】
また、肉厚値の初期値によるときの剛性値と各構成要素の肉厚値の最適値によるときの構造物に対する剛性値との差から、構成要素の肉厚値を変更した方がよいか、構造物の構造を変更した方がよいのか否かの判断が容易になる。
【００４６】
また、最適化された肉厚値の最適値によるときの構造物に対する剛性値と肉厚値を規格肉厚値にしたときの構造物に対する剛性値とが対比して一覧表示されるため、この一覧表示から肉厚値を規格肉厚値にしたときに各剛性値がどの程度影響を受けたかが容易にわかる。
【００４７】
また、この一覧表示された差から構成要素の肉厚値を変更した方がよいか、構造物の構造を変更した方がよいのか否かの判断が容易になる。
【００４８】
また、肉厚値の初期値によるときの剛性値と要求剛性値との差、肉厚値の最適値によるときの剛性値と要求剛性値との差、規格肉厚値によるときの剛性値と要求剛性値との差、肉厚値の最適値によるときの剛性値と規格肉厚値によるときの剛性値との差の場合についても上記と同様である。
【００４９】
ステップＳ６において出力形態が３次元形状表示と肉厚値一覧表示との対応表示と判別されたときは、ステップＳ７における場合の肉厚値一覧表示は表示装置４の一方側、例えば上部側に表示され、３次元データに基づく構造物の３次元形状表示が表示装置４の他方側、例えば下部側に表示される（ステップＳ１０）。
【００５０】
続いて、肉厚値一覧表示中から一つの構成要素が指示されているか否かがチェックされる（ステップＳ１１）。ステップＳ１１における指示は肉厚値一覧表示中の一つの構成要素をカーソルによって指示することにより行われる。
【００５１】
ステップＳ１１において、肉厚値一覧表示中から一つの構成要素が指示されていると判別されると、ステップＳ１１に続いて、肉厚値一覧表示中から指示された一つの構成要素が選択表示される（ステップＳ１２）。ステップＳ１２における選択表示は、例えば、肉厚値一覧表示中から指示された構成要素の行の表示輝度を増大させるか、表示色を変更することによってなされる。
【００５２】
ステップＳ１２に続いて、ステップＳ１２において指示された構成要素に対応する構成要素が３次元形状表示中から選択表示される（ステップＳ１３）。ステップＳ１３における選択表示は、例えば、選択された構成要素の表示輝度を増大させるか、表示色を変更することによってなされる。
【００５３】
ステップＳ１１において、肉厚値一覧表示中における構成要素が指示されていないと判別されると、ステップＳ１１に続いて、３次元形状表示中から一つの構成要素が指示されているか否かがチェックされる（ステップＳ１４）。ステップＳ１４において、３次元形状表示中から一つの構成要素が指示されていると判別されると、３次元形状表示中において指示された構成要素が選択表示される（ステップＳ１５）。ステップＳ１５における選択表示は、例えば、選択された構成要素の表示輝度を増大させるか、表示色を変更することによってなされる。
【００５４】
ステップＳ１５に続いて、ステップＳ１５において指示された構成要素に対応する構成要素の行が肉厚値一覧表示中から選択表示される（ステップＳ１６）。ステップＳ１６における選択表示は、例えば、選択された構成要素行の表示輝度を増大させるか、表示色を変更することによってなされる。
【００５５】
図４において対応表示の一例を示している。例えば、図４（ａ）における構成要素番号ＰＮｏ．２１０２の行が指定されると、図４（ｂ）において対応する構成要素である部品５５ｂが選択表示され、逆に、図４（ｂ）において構成要素である部品５５ｂが指定されると、図４（ａ）において対応する構成要素の番号ＰＮｏ．２１０２の行が選択表示される。
【００５６】
以上のように対応表示がなされたときは、肉厚値一覧表示中における構成要素が表示装置４の表示画面上で指定されると、指定された構成要素が表示装置４の表示画面上で構造物の３次元形状表示中から選択されて表示させられる。逆に、構造物の３次元形状表示中における構成要素が前記表示装置４の表示画面上で指定されると、指定された構成要素が表示画面上で肉厚値一覧表示中から選択されて表示させられる。これによって、最適化演算前後の変位量に対し、操作者による任意の部位に対する確認が、構造物が複雑でも、構成要素の数が多くても容易に行えることになる。
【００５７】
【発明の効果】
以上説明したように本発明にかかる構造最適化結果表示方法および装置によれば、入力された肉厚値の初期値と最適化演算により求めた肉厚値の最適値との差の値が構成要素毎に一覧表示させられるために、該差が構造物を構成するどの構成要素にどの程度生ずるかを容易に判断することができる。
【００５８】
また、本発明にかかる構造最適化結果表示方法および装置によれば、最適化演算によって最適化された肉厚値の最適値と選択された規格肉厚値との差の値が構成要素毎に一覧表示させられるために、肉厚値の最適値によるときと規格肉厚値によるときとの差が構造物を構成するどの構成要素にどの程度生ずるかを容易に判断することができる。
【００５９】
これらの結果、構造物を構成する一部の構成要素の肉厚値を変化させることで対処することが可能か、または変化量が比較的大きい場合には、構造物の構成の見直しや、補強部材の追加が必要かなどの検討を速やかに開始することができる。
【図面の簡単な説明】
【図１】本発明の実施の一形態にかかる構造最適化結果表示装置の構成を示すブロック図である。
【図２】本発明の実施の一形態にかかる構造最適化結果表示装置の作用の説明に供するフローチャートである。
【図３】本発明の実施の一形態にかかる構造最適化結果表示装置の作用の説明に供するフローチャートである。
【図４】本発明の実施の一形態にかかる構造最適化結果表示装置の肉厚値一覧表示例および構造物の３次元表示例を示す図である。
【図５】本発明の実施の一形態にかかる構造最適化結果表示装置の剛性値一覧表示例を示す図である。
【符号の説明】
１…入力部                        １ａ…初期条件指示部
１ｂ…出力形態指示部              ２…演算制御部
２ａ…感度解析部                  ２ｂ…最適肉厚値演算部
２ｃ…規格肉厚値選択部            ２ｄ…構造解析部
２ｅ…出力演算表示制御部          ３…規格肉厚データベース
４…表示装置
【図１】
0003924437.tif 000002
【図２】
0003924437.tif 000003
【図３】
0003924437.tif 000004
【図４】
0003924437.tif 000005
【図５】
0003924437.tif 000006